(57)【要約】      （修正有）【課題】抗癌剤などの汚染物質の作業空間を隔離して安全性を確保することができ、安全対策として十分であるうえ、作業において使い勝手や操作性が良く、且つ、装置としてのグローブの交換が不要で、細かな作業も容易なうえ、ワークエリアの清掃が簡単であり、薬剤の出し入れ等も容易となるバイオハザード対策用キャビネットのアタッチメントパネルを提供する。【解決手段】キャビネットＣの前面パネルＣ１２下方に着脱されるアタッチメントパネル１に、前面パネルＣ１２の幅に応じた横長な略矩形のパネル本体２と、このパネル本体２を貫通し、作業空間に腕を挿入するための開閉自在な左右一対の挿腕孔３，３と、パネル本体２を貫通し、開放時に作業空間内と外部を連通する開閉自在な連通扉４と、を備える。挿腕孔３，３に、腕を挿入したときに腕の周りに密着して締め付ける締付機構を設ける。【選択図】図４
0003185604.tif 000002
【実用新案登録請求の範囲】
【請求項１】
前面パネルを有し、この前面パネルの奥側内部に形成される作業空間を負圧状態に維持するバイオハザード対策用キャビネットの、前記前面パネルの下方に着脱可能に装着されるアタッチメントパネルであって、
前記前面パネルの幅に応じた横長な略矩形のパネル本体と、このパネル本体を貫通し、前記作業空間に腕を挿入するための開閉自在な左右一対の挿腕孔と、前記パネル本体を貫通し、開放時に前記作業空間内と外部を連通する開閉自在な連通扉と、が備えられ、
前記挿腕孔には、腕を挿入したときに腕の周りに密着して締め付ける締付機構が設けられているバイオハザード対策用キャビネットのアタッチメントパネル。
【請求項２】
前記挿腕孔は、前記パネル本体に対して水平移動可能となっている請求項１に記載のバイオハザード対策用キャビネットのアタッチメントパネル。
【請求項３】
前記パネル本体には、前記挿腕孔同士の間に覗き窓が設けられている請求項１又は２に記載のバイオハザード対策用キャビネットのアタッチメントパネル。
【請求項４】
前記挿腕孔及び前記連通扉は、それぞれフットスイッチと接続して開閉自在となっている請求項１ないし３のいずれかに記載のバイオハザード対策用キャビネットのアタッチメントパネル。
【考案の詳細な説明】
【技術分野】
【０００１】
この考案は、バイオハザード対策用キャビネットに関し、詳しくは、このバイオハザード対策用キャビネットに装着されるアタッチメントパネルに関するものである。
【背景技術】
【０００２】
バイオハザード対策用キャビネット（安全キャビネットともいう）は、作業空間を負圧に保ち、ＨＥＰＡフィルタで排気又は循環空気を濾過して毒性薬剤、生物材料、病原菌等の汚染物質が使用者側に漏洩しないように封じ込める装置であり、ＪＩＳ規格（JIS K 3800）により、吸気エアカーテンや隔壁の有無等でクラスＩ〜ＩＩＩに分類されている。一般的には、クラスＩＩタイプのバイオハザード対策用キャビネットが使用されることが多く、用途や作業の目的別にＡ１、Ａ２、Ｂ１、Ｂ２に細分類されている。
【０００３】
例えば、抗癌剤は正常な細胞に対しても毒性があり、特に、癌細胞と同じように活発に細胞分裂を行っている細胞（粘膜や毛母細胞など）に対する毒性が強いので、抗癌剤調製時に抗癌剤成分のエアロゾルを調製者等が吸引したり、抗癌剤の液滴が皮膚に付着したりすると調製者等が健康障害を起こす危険がある。
【０００４】
このため、病院薬剤部の抗癌剤調製の分野においては、循環気率が０％である全排気型（オールフレッシュタイプ）のＢ２タイプのバイオハザード対策用キャビネットが導入されている場合が多いが、調製後の試験によると抗癌剤の液滴が調製室周囲或いはガウンなどに付着しており、既存のＢ２タイプのバイオハザード対策用キャビネットでは、安全対策として不十分との結果もでており、作業空間と物理的に隔離可能な隔壁（即ち、グローブ）が存在するクラスＩＩＩタイプのバイオハザード対策用キャビネット（いわゆるグローブボックス）で抗癌剤調製を行うことが望まれている。
【０００５】
しかし、従来のクラスＩＩＩタイプのバイオハザード対策用キャビネットでは、備え付けのグローブで作業空間と物理的に隔離できるため安全上問題はないものの、厚手のグローブであるため操作性が悪く、短時間に大量に調製が求められている抗癌剤調製の分野においては、使い勝手が悪いという問題があった。
【０００６】
特に、抗癌剤調製の分野では、（１）抗癌剤等で備え付けのグローブが汚染されてしまった場合は、グローブの交換に時間が掛かり過ぎる、（２）備え付けのグローブは、肉厚が厚いグローブであり、アンプル吸引やシリンジの操作など微妙な細かい作業がしづらい、（３）完全に隔離されているため抗癌剤で汚染された作業空間（ワークエリア）の清掃が困難、（４）薬剤の出し入れがしづらいといった問題が顕著であった。
【０００７】
クラスＩＩＩタイプのバイオハザード対策用キャビネット（グローブボックス）としては、例えば、特許文献１には、作業エリア３側からＨＥＰＡフィルタ４を取り付け、作業エリア３内に、取り扱う物質を不活性化できる薬品の浸漬槽１２を設け、ＨＥＰＡフィルタ４をグローブボックス１から取り出す前に、試験物質を不活性化できるようにしたグローブ１１付きバイオハザード対策用キャビネット（グローブボックス１）が開示されている。
【０００８】
また、特許文献２には、前面シャッター４に、左右に移動可能でかつ引き戸状に重なりあう複数の小窓１８ａ〜１８ｃを設け、この複数の小窓１８ａ〜１８ｃのいずれかの作業空間側に、作業空間での作業に用いる一対のグローブ１６を気密に取り付け可能なグローブポート１７を設けたグローブ付きバイオハザード対策用キャビネット（安全キャビネット１）が開示されている。
【０００９】
しかし、特許文献２に記載のグローブ付きバイオハザード対策用キャビネットでは、備え付けのグローブが左右に移動可能で多少の操作性が向上してはいるものの、いずれの文献に記載のバイオハザード対策用キャビネットでも、備え付けのグローブを交換するのが容易ではなく、抗癌剤調製の分野で特に問題となっている前記（１）〜（４）の問題を解決できるものではなかった。
【先行技術文献】
【特許文献】
【００１０】
【特許文献１】特開２００６−３１５１０６号公報
【特許文献２】特開２０１２−０２４６５７号公報
【考案の概要】
【考案が解決しようとする課題】
【００１１】
そこでこの考案は、前記従来の問題を解決し、クラスＩＩタイプのバイオハザード対策用キャビネットに取り付けることにより、抗癌剤などの汚染物質の作業空間を隔離してクラスＩＩＩタイプのバイオハザード対策用キャビネットにより近い安全性を確保することができ、安全対策として十分であるうえ、作業において使い勝手や操作性が良く、且つ、装置としてのグローブの交換が不要で、細かな作業も容易なうえ、作業空間（ワークエリア）の清掃が簡単であり、薬剤の出し入れ等も容易となるバイオハザード対策用キャビネットのアタッチメントパネルを提供することを目的とする。
【課題を解決するための手段】
【００１２】
前記課題を解決するために、請求項１に記載の考案は、前面パネルを有し、この前面パネルの奥側内部に形成される作業空間を負圧状態に維持するバイオハザード対策用キャビネットの前記前面パネルの下方に着脱可能に装着されるアタッチメントパネルであって、前記前面パネルの幅に応じた横長な略矩形のパネル本体と、このパネル本体を貫通し、前記作業空間に腕を挿入するための開閉自在な左右一対の挿腕孔と、前記パネル本体を貫通し、開放時に前記作業空間内と外部を連通する開閉自在な連通扉と、が備えられ、前記挿腕孔には、腕を挿入したときに腕の周りに密着して締め付ける締付機構が設けられていることを特徴とする。
【００１３】
請求項２に記載の考案は、請求項１に記載のバイオハザード対策用キャビネットのアタッチメントパネルにおいて、前記挿腕孔は、前記パネル本体に対して水平移動可能となっている。
【００１４】
請求項３に記載の考案は、請求項１又は２に記載のバイオハザード対策用キャビネットのアタッチメントパネルにおいて、前記パネル本体には、前記挿腕孔同士の間に覗き窓が設けられている。
【００１５】
請求項４に記載の考案は、請求項１ないし３のいずれかに記載のバイオハザード対策用キャビネットのアタッチメントパネルにおいて、前記挿腕孔及び前記連通扉は、それぞれフットスイッチと接続して開閉自在となっている。
【考案の効果】
【００１６】
この考案は、前記のようであって、前面パネルを有し、この前面パネルの奥側内部に形成される作業空間を負圧状態に維持するバイオハザード対策用キャビネットの前記前面パネルの下方に着脱可能に装着されるアタッチメントパネルであって、前記前面パネルの幅に応じた横長な略矩形のパネル本体と、このパネル本体を貫通し、前記作業空間に腕を挿入するための開閉自在な左右一対の挿腕孔と、前記パネル本体を貫通し、開放時に前記作業空間内と外部を連通する開閉自在な連通扉と、が備えられ、前記挿腕孔には、腕を挿入したときに腕の周りに密着して締め付ける締付機構が設けられているので、抗癌剤などの汚染物質の作業空間をアタッチメントパネルで隔離してクラスＩＩＩタイプのバイオハザード対策用キャビネットにより近い安全性を確保することができる。また、それに加え、一般に流通する使い捨て可能な薄手の手術用手袋などを使用して作業することができ、使い勝手や操作性が良く、且つ、装置としてのグローブの交換が不要で、細かな作業も容易なうえ、作業空間（ワークエリア）の清掃が簡単であり、薬剤の出し入れ等も容易である。
【００１７】
請求項２に記載の考案によれば、請求項１に記載のバイオハザード対策用キャビネットのアタッチメントパネルにおいて、前記挿腕孔は、前記パネル本体に対して水平移動可能となっているので、更に使い勝手や操作性が良く、細かな作業を容易にすることができる。
【００１８】
請求項３に記載の考案によれば、請求項１又は２に記載のバイオハザード対策用キャビネットのアタッチメントパネルにおいて、前記パネル本体には、前記挿腕孔同士の間に覗き窓が設けられているので、キャビネット内で行う作業の手元が見やすく、更に使い勝手や操作性が良く、細かな作業を容易にすることができる。
【００１９】
請求項４に記載の考案によれば、請求項１ないし３のいずれかに記載のバイオハザード対策用キャビネットのアタッチメントパネルにおいて、前記挿腕孔及び前記連通扉は、それぞれフットスイッチと接続して開閉自在となっているので、挿腕孔や連通扉の開閉スイッチの切り換えを足で行うことができ、抗癌剤などの汚染物質でスイッチが汚染されるおそれが少なく、更に安全性が向上する。
【図面の簡単な説明】
【００２０】
【図１】バイオハザード対策用キャビネットとして例示するバイオハザード対策用クラスＩＩＢキャビネットの正面図である。
【図２】同上のキャビネットの概略断面を模式的に示す構成説明図である。
【図３】本考案の一実施の形態である実施例に係るアタッチメントパネルを示す正面図である。
【図４】同上のアタッチメントパネルを図１のキャビネットに装着した状態を示す正面図である。
【図５】同上のアタッチメントパネルの挿腕孔の周囲を、腕巻キャップを外した状態で示す部分拡大正面図である。
【図６】同上のアタッチメントパネルの腕巻キャップを示す図面であり、（ａ）が右又は左側面図、（ｂ）が正面図である。
【図７】フットスイッチの一例を示す写真である。
【考案を実施するための形態】
【００２１】
以下、図面を参照しながら、本考案の実施の形態について説明する。
【００２２】
先ず、図１及び図２を用いて、本考案の一実施の形態である実施例に係るアタッチメントパネルが装着されるバイオハザード対策用キャビネットについて、タイプＢ２の全排気型（オールフレッシュタイプ）を例示して簡単に説明する。
図示するキャビネットＣは、作業空間を有する装置の筺体であるキャビネット本体Ｃ１と、このキャビネット本体Ｃ１内の作業空間に清浄な空気を給気する給気手段Ｃ２と、作業空間の空気を排気する排気手段Ｃ３と、その他、図示しない殺菌灯、照明（蛍光灯）などから主に構成され、ＪＩＳ規格によりクラスＩＩＢに分類される、排気手段Ｃ３により作業空間の空気を循環せずにＨＥＰＡフィルタを介して全て排気する全排気型（オールフレッシュタイプ）のバイオハザード対策用キャビネットである。
【００２３】
キャビネット本体Ｃ１は、主に、焼付塗装された鋼板とステンレス鋼板からなる装置筺体であり、抗癌剤調製などの作業を行う作業台Ｃ１０と、自動で上下にスライドして前面開口Ｃ１１を開閉する透明の強化ガラスからなる前面パネルＣ１２と、を備え、この前面パネルＣ１２の奥側内部の作業台Ｃ１０上が抗癌剤調製などの作業を行う作業空間となっている。
なお、作業空間周りは、殺菌消毒等の作業を考慮し、ステンレス鋼板のヘアライン仕上げである。
【００２４】
給気手段Ｃ２は、一般的なシロッコファンからなる給気ファンＣ２０と、ＨＥＰＡフィルタＣ２１を有し、給気ファンＣ２０の送風力により図示しない給気口から外気を取り入れてＨＥＰＡフィルタＣ２１で塵埃等を捕集して清浄度を高めた後、作業空間に清浄な空気を給気する機能を有している。
【００２５】
排気手段Ｃ３は、一般的なシロッコファンからなる排気ファンＣ３０と、ＨＥＰＡフィルタＣ３１を有し、排気ファンＣ３０の送風力により作業空間の汚染された空気を吸引し、ＨＥＰＡフィルタＣ３１により清浄化した後、屋外の外気に連通する排気ダクトＣ３２を通じて外気に排気する機能を有している。
【００２６】
なお、ＨＥＰＡフィルタ(High Efficiency Particulate Air Filter)とは、定格風量で粒径が０．３μｍの粒子に対して９９．９７％以上の粒子捕集率をもち、かつ初期圧力損失が２４５Ｐａ以下の性能を持つエアフィルタのことを指し、キャビネットＣでは、０．３μｍの粒子に対して粒子捕集率９９．９９％以上の性能があるＨＥＰＡフィルタが採用されている。
【００２７】
このキャビネットＣによれば、給気手段Ｃ２の機能で１４ｍ３／ｍｉｎ程度の給気風量に対し排気手段Ｃ３の機能により、２３ｍ３／ｍｉｎ程度の排気風量があるので、作業空間に面して少々の開口があっても作業空間域を負圧に維持することができる。このため、病院薬剤部の抗癌剤調製などの作業に使用されても、作業員の安全性を確保することができる。
なお、この給気風量と排気風量は、間口サイズ1,300mmを想定しており、キャビネットのサイズで異なってくる。
【実施例】
【００２８】
次に、図３〜図７を用いて、この考案の一実施の形態である実施例に係るアタッチメントパネルについて説明する。
実施例に係るアタッチメントパネル１は、図３に示すように、正面視で横長な長方形（略直方体）のパネル本体２と、このパネル本体２の左側に貫通して設けられた左右一対の挿腕孔３，３と、パネル本体２の右側底部付近に貫通して設けられた連通扉４と、挿腕孔３，３の間に設けられた覗き窓５などから構成され、図４に示すように、前面開口Ｃ１１の下部に嵌め込まれて、前面パネルＣ１２で上端を押さえ付けて装着され、使用される。
【００２９】
パネル本体２は、前面開口Ｃ１１及び前面パネルＣ１２の幅に応じたパネルであり、上端面は、前面パネルＣ１２が当接するためフラットとなっており、左右に、キャビネットＣの前面開口Ｃ１１に嵌め込む際に使用する鍔２０，２１が設けられ、下端に、作業台Ｃ１０の上に被せる折り返し２２が取り付けられている。
【００３０】
挿腕孔３，３は、図５に示すように、それぞれパネル本体２を構成する前後２枚のプレートに形成された長孔３０と、この前後２枚のプレートの間に挟まれて左右の両端で突き当たる２つの嵌挿プレート３１，３２に跨り穿設された円形孔３３などからなる作業空間に作業員の腕を挿入するための孔であり、この円形孔３３の内周縁には、図６に示すように、緩衝材として、発泡ウレタンなどのスポンジを防水性の生地で被覆したドーナツを半割りした形状の左右一対の腕巻キャップ３４，３５が嵌め込まれている。
【００３１】
また、締付機構として、２つの嵌挿プレート３１，３２は、パネル本体２に内蔵された挿腕孔用モータ３６を駆動させることにより、図示しないタイミングプーリを介して開閉（長孔３０内を水平移動）可能となっており、閉動作で腕巻キャップ３４，３５を作業者の腕に密着させて締め付けることができ、腕を入れた状態でも負圧となっている作業空間内を気密状態にすることができる。このため、作業空間から汚染物質等が漏れ出すおそれが更に少なくなり、安全性が向上する。
【００３２】
なお、嵌挿プレート３１，３２は、閉状態でも遊びがあり、長孔３０内で水平にスライド可能となっており、作業員が作業に応じて左右の腕を少しだけそれぞれ水平移動することができる。このため、更に使い勝手や操作性が良く、細かな作業を容易にすることができる。
【００３３】
連通扉４は、キャビネットＣの外部と作業空間とを連通する扉であり、図３に示すように、パネル本体２に内蔵された連通扉用モータ４０を有し、この連通扉用モータ４０により、図示しないタイミングプーリを介して２枚のプレート４１，４２を水平にスライド移動させ、パネル本体２に貫通された矩形の開口４３を開閉可能となっている。このため、この連通扉４を通じて、抗癌剤調製などの作業に用いられる薬剤等の作業に必要な物品を出し入れすることができる。
【００３４】
なお、挿腕孔用モータ３６及び連通扉用モータ４０は、それぞれ図７に例示するフットスイッチによりＯＮ／ＯＦＦ可能となっており、挿腕孔３，３及び連通扉４の開閉を足で行うことができる。このため、作業により汚染された手術用手袋などでスイッチに触れることなく、これらの開閉動作を行うことができ、作業者の安全性を確保することができるうえ、使い勝手や操作性が良い。
【００３５】
覗き窓５は、金属製の枠５０内に、強化ガラスからなる透明プレート５１が嵌め込まれた嵌め殺しの窓であり、作業者が挿腕孔３，３から腕を作業空間内に挿入して作業する際に目視により手元を確認するための窓である。このため、キャビネットＣ内で行う作業の手元が見やすく、更に使い勝手や操作性が良く、細かな作業を容易にすることができる。特に、前述の前面パネルが透明でないキャビネットに装着される際に有効である。
【００３６】
このような実施例に係るアタッチメントパネル１によれば、クラスＩＩタイプのバイオハザード対策用キャビネットに取り付けることにより、抗癌剤などの汚染物質の作業空間をアタッチメントパネル１で隔離してクラスＩＩＩタイプのバイオハザード対策用キャビネットにより近い安全性を確保することができる。また、グローブが備え付けでないため、一般に流通する保護グローブや使い捨て可能な薄手の手術用手袋などを２重に装着して作業することができ、使い勝手や操作性が良く、且つ、装置としてのグローブの交換が不要で、細かな作業も容易となる。それに加え、クラスＩＩＩタイプのバイオハザード対策用キャビネットと比べて前面パネルを上下動させることにより、アタッチメントパネル１を取り外すことができるので、作業空間（ワークエリア）やアタッチメントパネル１自体の清掃が簡単であり、連通扉４の開閉により、薬剤の出し入れ等も容易である。
【００３７】
以上のように、本実施例に係るアタッチメントパネルを説明したが、図面で示した各構成部材の形状や構造、材質等も、あくまでも好ましい一例を示すものであり、実用新案登録請求の範囲内で適宜設計変更が可能であることは云うまでもない。
特に、覗き窓があるタイプを例示して説明したが、覗き窓はオプション使用であり、本実施例に係るアタッチメントパネルが装着されるバイオハザード対策用キャビネットの前面パネルが透明な場合は無くても構わない。
【符号の説明】
【００３８】
Ｃ            キャビネット（バイオハザード対策用キャビネット）
Ｃ１          キャビネット本体
Ｃ２          給気手段
Ｃ２０        給気ファン
Ｃ２１        ＨＥＰＡフィルタ
Ｃ３          排気手段
Ｃ３０        排気ファン
Ｃ３１        ＨＥＰＡフィルタ
１            アタッチメントパネル
２            パネル本体
３            挿腕孔
３０          長孔（締付機構）
３１，３２    嵌挿プレート（締付機構）
３３          円形孔（締付機構）
３４，３５    腕巻キャップ（緩衝材、締付機構）
３６          挿腕孔用モータ（締付機構）
４            連通扉
４０          連通扉用モータ
５            覗き窓
【図１】
0003185604.tif 000003
【図２】
0003185604.tif 000004
【図３】
0003185604.tif 000005
【図４】
0003185604.tif 000006
【図５】
0003185604.tif 000007
【図６】
0003185604.tif 000008
【図７】
0003185604.tif 000009